(57)【特許請求の範囲】
【請求項１】
粘着シートと離型紙とが積層されていると共にロール状に巻回された長尺のシートをカットすることによりラベルを製造するラベル製造装置において、
前記シートをその長手方向に往復搬送可能な搬送機構と、
前記粘着シートおよび前記離型紙がカットされるように前記シートをフルカットするフルカット手段と、
前記粘着シートのみがカットされるように前記シートをハーフカットするハーフカット手段と、
前記フルカット手段および前記ハーフカット手段を、前記シートの搬送方向に直交する幅方向に関して往復移動可能な移動機構と、
記憶手段を含み、前記シート上の任意のラインに沿ったフルカットラインの位置を示すデータを、ユーザからの指定に基づいて前記記憶手段に記憶させるためのフルカットライン設定手段と、
前記記憶手段を含み、前記シート上の任意のラインに沿ったハーフカットラインの位置を示すデータを、ユーザからの指定に基づいて前記記憶手段に記憶させるためのハーフカットライン設定手段と、
前記記憶手段に記憶されたフルカットラインの位置を示すデータおよびハーフカットラインの位置を示すデータに基づいて、前記搬送機構によって前記シートを前記搬送方向に搬送させつつ、前記移動機構によって前記フルカット手段および前記ハーフカット手段を前記幅方向に関して移動させると共に、前記フルカット手段および前記ハーフカット手段を動作させる制御手段とを備えており、
フルカットラインの位置を示すデータおよびハーフカットラインの位置を示すデータを前記記憶手段に記憶させる際に、前記シートがその幅方向にカットされることを示すデータが前記記憶手段に記憶される幅方向カットモードをユーザによる選択可能とし、
前記シート上の任意の１点の位置がユーザによって指定されると、前記シートが当該１点を通る幅方向の直線に沿ってシートの全幅にわたってカットされることを示すデータが前記記憶手段に記憶される１点指定モードを、前記幅方向カットモードの一つとして、ユーザによる選択可能とすることを特徴とするラベル製造装置。
【請求項２】
前記幅方向カットモードとして、前記１点指定モード、および、前記シート上の任意の１点およびこの点を通る幅方向の直線上にある別の１点の位置がユーザによって指定されると、前記シートが当該２点間でフルカットされることを示すデータが前記記憶手段に記憶される２点指定モードをユーザによる選択可能とすることを特徴とする請求項１に記載のラベル製造装置。
【請求項３】
前記フルカットラインおよび前記ハーフカットラインとともに前記シートを表示するための表示手段をさらに備えており、
前記フルカットラインおよび前記ハーフカットラインが、色、線種および模様の少なくともいずれか１つによって互いに区別可能に前記表示手段に表示されるように構成されていることを特徴とする請求項１又は２に記載のラベル製造装置。
【請求項４】
フルカット手段およびハーフカット手段の少なくとも一方で、粘着シートと離型紙とが積層されていると共にロール状に巻回された長尺のシートをカットすることによりラベルを製造するラベル製造方法において、
前記粘着シートおよび前記離型紙が前記シート上の任意のラインに沿って前記フルカット手段によってカットされるフルカットラインの位置を示すデータを、ユーザからの指定に基づいて記憶手段に記憶させるステップと、
前記粘着シートのみが前記シート上の任意のラインに沿って前記ハーフカット手段によってカットされるハーフカットラインの位置を示すデータを、ユーザからの指定に基づいて前記記憶手段に記憶させるステップと、
前記記憶手段に記憶されたフルカットラインの位置を示すデータおよびハーフカットラインの位置を示すデータに基づいて、前記シートをその長手方向に搬送しつつ前記フルカット手段およびハーフカット手段を前記シートの搬送方向に直交する方向に移動させることによって、前記シートをフルカットおよびハーフカットするステップとを有しており、
フルカットラインの位置を示すデータを記憶させるステップおよびハーフカットラインの位置を示すデータを記憶させるステップにおいて、前記シートがその幅方向にカットされることを示すデータが前記記憶手段に記憶される幅方向カットモードをユーザによる選択可能とし、
前記シート上の任意の１点の位置がユーザによって指定されると、前記シートが当該１点を通る幅方向の直線に沿ってシートの全幅にわたってカットされることを示すデータが前記記憶手段に記憶される１点指定モードを、前記幅方向カットモードの一つとして、ユーザによる選択可能とすることを特徴とするラベル製造方法。
【請求項５】
前記幅方向カットモードとして、前記１点指定モード、および、前記シート上の任意の１点およびこの点を通る幅方向の直線上にある別の１点の位置がユーザによって指定されると、前記シートが当該２点間でフルカットされることを示すデータが前記記憶手段に記憶される２点指定モードをユーザによる選択可能とすることを特徴とする請求項４に記載のラベル製造方法。
【請求項６】
前記フルカットラインの位置を示すデータを記憶させるステップおよび前記ハーフカットラインの位置を示すデータを記憶させるステップにおいて、前記フルカットラインおよび前記ハーフカットラインが、色、線種および模様の少なくともいずれか１つによって互いに区別可能に表示手段に表示されることを特徴とする請求項４又は５に記載のラベル製造方法。
【請求項７】
フルカット手段およびハーフカット手段の少なくとも一方で、粘着シートと離型紙とが積層されていると共にロール状に巻回された長尺のシートをカットすることによりラベルを製造するためのプログラムを記録した記録媒体において、
前記シート上の任意のラインに沿って前記フルカット手段によって前記粘着シートおよび前記離型紙がカットされるフルカットラインの位置を示すデータを、ユーザからの指定に基づいて記憶手段に記憶させるフルカットライン設定手段、
前記シート上の任意のラインに沿って前記ハーフカット手段によって前記粘着シートのみがカットされるハーフカットラインの位置を示すデータを、ユーザからの指定に基づいて前記記憶手段に記憶させるためのハーフカットライン設定手段、および、
前記記憶手段に記憶されたフルカットラインの位置を示すデータおよびハーフカットラインの位置を示すデータに基づいて、搬送機構によって前記シートをその長手方向に搬送させつつ、移動機構によって前記フルカット手段および前記ハーフカット手段を前記長手方向に直交する幅方向に関して移動させると共に、前記フルカット手段および前記ハーフカット手段を動作させる制御手段として、前記記憶手段を含むコンピュータ、前記フルカット手段、前記ハーフカット手段、前記搬送機構および前記移動機構を備えた機器を動作させ、
フルカットラインの位置を示すデータおよびハーフカットラインの位置を示すデータを前記記憶手段に記憶させる際に、前記シートがその幅方向にカットされることを示すデータが前記記憶手段に記憶される幅方向カットモードをユーザによる選択可能とし、
前記シート上の任意の１点の位置がユーザによって指定されると、前記シートが当該１点を通る幅方向の直線に沿ってシートの全幅にわたってカットされることを示すデータが前記記憶手段に記憶される１点指定モードを、前記幅方向カットモードの一つとして、ユーザによる選択可能とするプログラムを記録したコンピュータ読取可能な記録媒体。
【請求項８】
前記幅方向カットモードとして、前記１点指定モード、および、前記シート上の任意の１点およびこの点を通る幅方向の直線上にある別の１点の位置がユーザによって指定されると、前記シートが当該２点間でフルカットされることを示すデータが前記記憶手段に記憶される２点指定モードをユーザによる選択可能とするプログラムを記録した請求項７に記載のコンピュータ読取可能な記録媒体。
【請求項９】
前記フルカットラインおよび前記ハーフカットラインを、色、線種および模様の少なくともいずれか１つによって互いに区別可能に前記コンピュータに含まれる表示手段に表示させるプログラムを記録した請求項７又は８に記載のコンピュータ読取可能な記録媒体。
【発明の詳細な説明】
【０００１】
【発明の属する技術分野】
本発明は、ラベル製造装置、ラベル製造方法および記憶媒体に関し、特に任意のラインに沿ってフルカットおよびハーフカットを行うことを可能としたラベル製造装置、ラベル製造方法および記憶媒体に関する。
【０００２】
【従来の技術】
粘着シートに離型紙が貼り合わされたタックシートなどをユーザが加工するためのラベル製造装置が知られている．この種のラベル製造装置は、シートを巻芯に巻回した状態で支持しているロールシートユニットが着脱可能であるとともに、このロールシートユニットからシートを引き出して搬送するための搬送ローラと、この搬送ローラによって搬送されるシートをカットするためのカッティング機構とを備えている。
【０００３】
カッティング機構は、通常、シートをカットするカッタと、このカッタをシートの搬送方向と略直交する方向（シートの幅方向）に往復移動させるキャリッジとを備えている。従って、搬送ローラの正および逆回転と、キャリッジのシートの幅方向の往復移動とによって、シート上の任意の場所にカッタを位置させることができて、シートを所定の形状にカットすることが可能である。
【０００４】
【発明が解決しようとする課題】
かかるラベル製造装置は、シートをその厚さ方向の途中まで、例えば粘着シート或いは離型紙だけをカットするハーフカット、および、シートをその厚さ方向に完全にカットするフルカットの２つの態様でシートをカットすることが可能である。しかしながら、現在知られているラベル製造装置においては、シートの文字や図形が描かれた領域を囲むようなハーフカット、および、シートをその全幅にわたって決まった長さに切断するようなフルカットしか行うことができない。そのため、現行のラベル製造装置によると、ユーザは、ラベル製造装置から排出されたラベルをさらに手作業でカットするなど、煩雑な作業を強いられることがある。
【０００５】
【課題を解決するための手段】
本発明者は、現行のラベル製造装置のかかる不都合に着目し、ユーザが任意のラインに沿ってフルカットおよびハーフカットすることができるラベル製造装置およびラベル製造方法に想到した。すなわち、本願の請求項１は、粘着シートと離型紙とが積層されていると共にロール状に巻回された長尺のシートをカットすることによりラベルを製造するラベル製造装置において、前記シートをその長手方向に往復搬送可能な搬送機構と、
前記粘着シートおよび前記離型紙がカットされるように前記シートをフルカットするフルカット手段と、前記粘着シートのみがカットされるように前記シートをハーフカットするハーフカット手段と、前記フルカット手段および前記ハーフカット手段を、前記シートの搬送方向に直交する幅方向に関して往復移動可能な移動機構と、記憶手段を含み、前記シート上の任意のラインに沿ったフルカットラインの位置を示すデータを、ユーザからの指定に基づいて前記記憶手段に記憶させるためのフルカットライン設定手段と、前記記憶手段を含み、前記シート上の任意のラインに沿ったハーフカットラインの位置を示すデータを、ユーザからの指定に基づいて前記記憶手段に記憶させるためのハーフカットライン設定手段と、前記記憶手段に記憶されたフルカットラインの位置を示すデータおよびハーフカットラインの位置を示すデータに基づいて、前記搬送機構によって前記シートを前記搬送方向に搬送させつつ、前記移動機構によって前記フルカット手段および前記ハーフカット手段を前記幅方向に関して移動させると共に、前記フルカット手段および前記ハーフカット手段を動作させる制御手段とを備えており、フルカットラインの位置を示すデータおよびハーフカットラインの位置を示すデータを前記記憶手段に記憶させる際に、前記シートがその幅方向にカットされることを示すデータが前記記憶手段に記憶される幅方向カットモードをユーザによる選択可能とし、前記シート上の任意の１点の位置がユーザによって指定されると、前記シートが当該１点を通る幅方向の直線に沿ってシートの全幅にわたってカットされることを示すデータが前記記憶手段に記憶される１点指定モードを、前記幅方向カットモードの一つとして、ユーザによる選択可能とすることを特徴とするラベル製造装置である。
【０００６】
また、請求項４は、フルカット手段およびハーフカット手段の少なくとも一方で、粘着シートと離型紙とが積層されていると共にロール状に巻回された長尺のシートをカットすることによりラベルを製造するラベル製造方法において、前記粘着シートおよび前記離型紙が前記シート上の任意のラインに沿って前記フルカット手段によってカットされるフルカットラインの位置を示すデータを、ユーザからの指定に基づいて記憶手段に記憶させるステップと、前記粘着シートのみが前記シート上の任意のラインに沿って前記ハーフカット手段によってカットされるハーフカットラインの位置を示すデータを、ユーザからの指定に基づいて前記記憶手段に記憶させるステップと、前記記憶手段に記憶されたフルカットラインの位置を示すデータおよびハーフカットラインの位置を示すデータに基づいて、前記シートをその長手方向に搬送しつつ前記フルカット手段およびハーフカット手段を前記シートの搬送方向に直交する方向に移動させることによって、前記シートをフルカットおよびハーフカットするステップとを有しており、フルカットラインの位置を示すデータを記憶させるステップおよびハーフカットラインの位置を示すデータを記憶させるステップにおいて、前記シートがその幅方向にカットされることを示すデータが前記記憶手段に記憶される幅方向カットモードをユーザによる選択可能とし、前記シート上の任意の１点の位置がユーザによって指定されると、前記シートが当該１点を通る幅方向の直線に沿ってシートの全幅にわたってカットされることを示すデータが前記記憶手段に記憶される１点指定モードを、前記幅方向カットモードの一つとして、ユーザによる選択可能とすることを特徴とするラベル製造方法である。
【０００７】
また、請求項７は、フルカット手段およびハーフカット手段の少なくとも一方で、粘着シートと離型紙とが積層されていると共にロール状に巻回された長尺のシートをカットすることによりラベルを製造するためのプログラムを記録した記録媒体において、前記シート上の任意のラインに沿って前記フルカット手段によって前記粘着シートおよび前記離型紙がカットされるフルカットラインの位置を示すデータを、ユーザからの指定に基づいて記憶手段に記憶させるフルカットライン設定手段、前記シート上の任意のラインに沿って前記ハーフカット手段によって前記粘着シートのみがカットされるハーフカットラインの位置を示すデータを、ユーザからの指定に基づいて前記記憶手段に記憶させるためのハーフカットライン設定手段、および、前記記憶手段に記憶されたフルカットラインの位置を示すデータおよびハーフカットラインの位置を示すデータに基づいて、搬送機構によって前記シートをその長手方向に搬送させつつ、移動機構によって前記フルカット手段および前記ハーフカット手段を前記長手方向に直交する幅方向に関して移動させると共に、前記フルカット手段および前記ハーフカット手段を動作させる制御手段として、前記記憶手段を含むコンピュータ、前記フルカット手段、前記ハーフカット手段、前記搬送機構および前記移動機構を備えた機器を動作させ、フルカットラインの位置を示すデータおよびハーフカットラインの位置を示すデータを前記記憶手段に記憶させる際に、前記シートがその幅方向にカットされることを示すデータが前記記憶手段に記憶される幅方向カットモードをユーザによる選択可能とし、前記シート上の任意の１点の位置がユーザによって指定されると、前記シートが当該１点を通る幅方向の直線に沿ってシートの全幅にわたってカットされることを示すデータが前記記憶手段に記憶される１点指定モードを、前記幅方向カットモードの一つとして、ユーザによる選択可能とするプログラムを記録したコンピュータ読取可能な記録媒体である。
【０００８】
請求項１、４、７によると、シート上の任意のラインに沿ってフルカットおよびハーフカットを施すことが可能となるので、多様な位置にハーフカットが施された任意の大きさのシートを得ることができる。そのため、ユーザにとっては、ラベル製造装置から排出されたラベルをさらに手作業でカットするなど、煩雑な作業を強いられることがなくなるという、実用上優れた効果が得られる。
【０００９】
【００１０】
【００１１】
【００１２】
さらに、幅方向カットモードによりシートを任意の位置で幅方向にフルカットおよびハーフカットすることが可能であるので、少なくとも１点の指定によりフルカットおよびハーフカットを設定することができ、作業効率を向上させることができる。また、１点指定モードでは、１点の指定によりフルカットおよびハーフカットを設定することができるため、作業効率を向上させることができる。
【００１３】
また、請求項２のラベル製造装置では、前記幅方向カットモードとして、前記１点指定モード、および、前記シート上の任意の１点およびこの点を通る幅方向の直線上にある別の１点の位置がユーザによって指定されると、前記シートが当該２点間でフルカットされることを示すデータが前記記憶手段に記憶される２点指定モードをユーザによる選択可能とする。
【００１４】
請求項５のラベル製造方法では、前記幅方向カットモードとして、前記１点指定モード、および、前記シート上の任意の１点およびこの点を通る幅方向の直線上にある別の１点の位置がユーザによって指定されると、前記シートが当該２点間でフルカットされることを示すデータが前記記憶手段に記憶される２点指定モードをユーザによる選択可能とする。
【００１５】
請求項８の記録媒体には、前記幅方向カットモードとして、前記１点指定モード、および、前記シート上の任意の１点およびこの点を通る幅方向の直線上にある別の１点の位置がユーザによって指定されると、前記シートが当該２点間でフルカットされることを示すデータが前記記憶手段に記憶される２点指定モードをユーザによる選択可能とするプログラムが記録されている。
【００１６】
請求項２、５、８によると、１点指定モードでは、１点の指定によりフルカットおよびハーフカットを設定することができるため、作業効率を向上させることができる。また、２点指定モードでは、２点間でシートがフルカットされるためにシートの端部にカットしない部分をユーザの設定により自由に残すことができるようになり、シートの全幅にわたって分離されていないものの簡単に分離させることができる状態にシートを加工することができる。
【００１７】
また、請求項３のラベル製造装置は、前記フルカットラインおよび前記ハーフカットラインとともに前記シートを表示するための表示手段をさらに備えており、前記フルカットラインおよび前記ハーフカットラインが、色、線種および模様の少なくともいずれか１つによって互いに区別可能に前記表示手段に表示されるように構成されている。
【００１８】
請求項６のラベル製造方法では、前記フルカットラインの位置を示すデータを記憶させるステップおよび前記ハーフカットラインの位置を示すデータを記憶させるステップにおいて、前記フルカットラインおよび前記ハーフカットラインが、色、線種および模様の少なくともいずれか１つによって互いに区別可能に表示手段に表示される。
【００１９】
請求項９の記録媒体には、前記フルカットラインおよび前記ハーフカットラインを、色、線種および模様の少なくともいずれか１つによって互いに区別可能に前記コンピュータに含まれる表示手段に表示させるプログラムが記録されている。
【００２０】
請求項３、６、９によると、フルカットラインおよびハーフカットラインが色、線種および模様の少なくともいずれか１つによって互いに区別可能に表示されるので、ユーザはどこにフルカットおよびハーフカットを設定したかを一目で知ることが可能となる。なお、フルカットラインまたはハーフカットラインがそれぞれ複数本ある場合に、これらをすべて同じ表示にする必要はなく、例えば幅方向カットモードとこれ以外のモードで設定されたラインを異なる表示としてもよいし、１点指定モードと２点指定モードで設定されたラインを異なる表示としてもよい。
【００２１】
【発明の実施の形態】
以下、本発明の好適な実施の形態について図面を参照しつつ説明する。
【００２２】
図１に示す本実施の形態のラベル製造装置１００は、シート加工装置（以下、「カッティングプリンタ」という）１１と、パーソナルコンピュータ１１０とから構成されている。ここでは、まず、カッティングプリンタ１１の構造について説明する。図２は、本発明の一実施の形態に係るラベル製造装置のカッティングプリンタ１１の要部構成を示す平面図である。図３は、図２に示すカッティングプリンタ１１の要部断面図である。図４は、図２に示すカッティングプリンタ１１のカッティング機構部を示す要部側断面図である。図５は図２に示すロールシートユニットとカッティング機構部および画像形成機構部との概略的な位置関係を示す模式的な斜視図である。図６はカッティング機構部のカッタユニットの断面図である。
【００２３】
図２および図３に示すカッティングプリンタ１１は、左右両側に配設される側壁９および１０を持つフレーム１２内に、シートとしてのタックシート１３を巻回した状態で回転自在に支持しているロールシートユニット１４と、タックシート１３を正逆両方向に搬送し得る搬送手段としての搬送機構部１５と、搬送機構部１５によって搬送されるタックシート１３をカットするためのカッティング機構部１６と、タックシート１３の正方向（排出方向）への搬送に関してカッティング機構部１６の上流側に配設され、タックシート１３に所定の画像を形成するための画像形成手段としての画像形成機構部１７とが設けられている。
【００２４】
ロールシート５１は、図５に示すように、タックシート１３が筒状の巻芯５５にロール状に巻回されたものである。なお、このタックシート１３は、表面が印刷可能とされ裏面に粘着剤が塗布された粘着シート１８と、この粘着シート１８の裏面に貼り合わされる離型紙１９との２層によって構成されている。
【００２５】
カッティングプリンタ１１を構成する各部分のうち、まず、搬送機構部１５について説明する。搬送機構部１５は、図３に示すように、画像形成機構部１７の構成要素でもあるプラテンローラ２４と、カッティング機構部１６の下流側に配設される排出ローラ２５とを備えている。排出ローラ２５とタックシート１３を挟んで対向する位置には、従動ローラ８が配設されている。この従動ローラ８は、従動ローラ８をばねにより排出ローラ２５側に押圧付勢する押さえ板７によって支持されている。そして、フレーム１２内に配設された第１駆動モータ２１の正逆駆動によって、プラテンローラ２４および排出ローラ２５は、第１ギヤ列２２を介して、タックシート１３を正方向および逆方向に搬送するように回転させられる。
【００２６】
また、ロールシートユニット１４のフランジギヤ（図示せず）に設けられたギヤ５９には、遊星ギヤ機構２６を含む第２ギヤ列２７を介して第１駆動モータ２１からの駆動が伝達されるように構成されている。この遊星ギヤ機構２６は、タックシート１３を逆方向に搬送するときにのみギヤ５９と噛み合い、タックシート１３を正方向に搬送するときにはギヤ５９と噛み合わないように構成されている。したがって、タックシート１３を正方向に搬送するときには、プラテンローラ２４および排出ローラ２５の回転によってタックシート１３を引き出す力によりロールシート５１が回転し、一方、タックシート１３を逆方向に搬送するときには、第１駆動モータ２１からの駆動によってロールシート５１が逆方向に回転する。
【００２７】
次に、カッティング機構部１６について説明する。カッティング機構部１６は、タックシート１３をその下方において受ける裁断ベッド２９と、この裁断ベット２９とタックシート１３を挟んで対向するカット手段としてのカッタユニット３０と、このカッタユニット３０が着脱自在に装着されるキャリッジ３１とを備えている。
【００２８】
図２に示すように、キャリッジ３１は、フレーム１２の両側壁９および１０の外側に配設された一対のプーリ３２および３３に掛け渡されたエンドレス状のタイミングベルト３４の１箇所に連結されている。図３に示すように、一対のプーリ３２および３３のうち、１つのプーリ３２は、フレーム１２の側壁１０の外側に配設された第２駆動モータ３５によって、ベベルギヤなどを含む第３ギヤ列３６を介して駆動される。これによって、キャリッジ３１は、タックシート１３の搬送方向と略直交する方向（シートの幅方向）に往復移動される。
【００２９】
また、図４に示すように、このキャリッジ３１におけるカッタユニット３０が装着される側の端部と反対側の端部には、その両端がフレーム１２の両側壁９および１０に支持されたメインガイドシャフト３７が挿通されており、キャリッジ３１はメインガイドシャフト３７に摺動可能に支持されている。また、カッタユニット３０が装着された側の端部とメインガイドシャフト３７が挿通された側の端部との間の途中部位には、メインガイドシャフト３７と略平行に延びる補助ガイドシャフト３８が摺動可能に挿通されている。この補助ガイドシャフト３８の両端部は、フレーム１２の両側壁９および１０に回動可能に設けられた一対の回動アーム３９に支持されている。
【００３０】
また、補助ガイドシャフト３８の一方の端部は、作動リンク４０を介してソレノイド４１の出力軸４２に連結されている。そして、ソレノイド４１がオン状態（励磁状態）のときには、図示しないばねの付勢力によって、カッタユニット３０は、その下端側が裁断部べット２９の上面を押圧するように作動させられる。また、ソレノイド４１がオフ状態（励磁されていない状態）のときには、ソレノイド４１の出力軸４２が上方に進出し、作動リンク４０および補助ガイドシャフト３８を介してキャリッジ３１のカッタユニット３０が装着される側の端部がメインガイドシャフト３７を支点として上向きに回動する。従って、カッタユニット３０は、その下端側が裁断べット２９の上面から離れるように作動させられる。
【００３１】
図６に示すように、カッタユニット３０は、その下端側にタックシート１３をカットするためのカッタ（フルカット手段およびハーフカット手段）４３を有している。カッタ４３は、図示しないばね機構により上方に付勢されている。カッタ４３を支持するカッタ支持部１５０の上端には、フルカット位置決め球体１５６が当接している。このとき、カッタ４３は、粘着シート１８とともに離型紙１９をもカツトするフルカット位置にある。フルカット位置決め球体１５６は、これよりも径が小さいハーフカット位置決め球体１５８とともにレバー１５４に嵌装されている。レバー１５４は、カッタユニット３０の筐体１５２の左右のいずれかの側壁から選択的に突出可能に支持されているとともに、ばね１６０によって上方に付勢されている。また、カッタユニット３０の上端部には、ユーザがドライバでねじを回動させることによりカッタ４３の刃先突出量を微調整するためのカッタ微調整機構１６２が設けられている。
【００３２】
このように構成されたカッタユニット３０においてカッタ４３をフルカット位置から、粘着シート１８のみをカットするハーフカット位置に切り換えるには、キャリッジ３１によりカッタユニット３０をフレーム１２の側壁１０に隣接する位置まで移動させる。これにより、レバー１５４が筐体１５２の右側壁から突出するようになり、カッタ支持部１５０の上端にハーフカット位置決め球体１５８が位置するようになる。すると、上方に付勢されているカッタ４３が上に移動してハーフカット位置となる。これとは逆に、カッタ４３をハーフカット位置からフルカット位置に切り換えるには、キャリッジ３１によりカッタユニット３０をフレーム１２の側壁９に隣接する位置まで移動させればよい。このように、カッタ４３は、フルカット位置、および、ハーフカット位置のいずれかの位置に選択的に支持される。
【００３３】
次に、画像形成機構部１７について説明する。図２および図３に示すように、画像形成機構部１７は、タックシート１３の幅寸法にほぽ等しい長さを持つ、印字ヘッドとしてのライン型のサーマルヘッド４４と、このサーマルヘッド４４とタックシート１３を挟んで対向するプラテンローラ２４とを備えている。
【００３４】
次に、本実施の形態に係るラベル製造装置の制御系について、図１を参照して説明する。
【００３５】
パーソナルコンピュータ１１０は、本体部１３０およびディスプレイ１３２のほかキーボード１４１やマウス１４２などの機器から構成されている。本体部１３０は、ＣＰＵ１３４とＲＡＭ１３６とハードディスク（ＨＤ）１３８とを有しており、これらはバスによって相互に接続されているとともに、入出力インターフェイス１４０とも接続されている。また、本体部１３０は、本実施の形態に係る、例えばＦＤやＣＤ−ＲＯＭである記録媒体に記録されたプログラムを読み込むための駆動装置を有している。
【００３６】
ハードディスク１３８には、ラベル製造のためのエディタソフトウェアなどのプログラムのほか、文字フォントや図形フォントに関するデータなどが記憶されている。エディタソフトウェアは、シートに画像を印刷しこれを所望の位置でカットするためのソフトウェアであり、ユーザはパーソナルコンピュータ１１０を用いてシートに印刷する画像内容やカット位置などをディスプレイ１３２を見ながらキーボード１４１やマウス１４２により入力および編集することができる。
【００３７】
ＣＰＵ１３４はハードディスク１３８から読み込んだプログラム、データのほかカッティングプリンタ１１側から供給されたデータに基づいて所定の演算を行なう。ＲＡＭ１３６は、ＣＰＵ１３４による演算結果などを一時的に記憶する。
【００３８】
カッティングプリンタ１１は、その入出力インターフェイス１１２がパーソナルコンピュータ１１０の入出力インターフェイス１４０と接続されている。さらに、入出力インターフェイス１１２には、ＣＰＵ１１４、ＲＯＭ１１６、ＲＡＭ１１８のほか、サーマルヘッド４４（図２および図３参照）を駆動するためのヘッド駆動回路１２０、第１駆動モータ２１および第２駆動モータ３５（ともに図３参照）をそれぞれ駆動するためのモータ駆動回路１２２、１２４、および、ソレノイド４１（図４参照）を駆動するためのソレノイド駆動回路１２６などが接続されている。
【００３９】
ＲＯＭ１１６には、カッティングプリンタ１１の動作を制御するためのプログラムのほか必要なデータが記憶されている。ＣＰＵ１１４はＲＯＭ１１６から読み込んだプログラム、データのほかパーソナルコンピュータ１１０側から供給されたデータに基づいて所定の演算を行い、また、ヘッド駆動回路１２０などに制御信号を供給する。ＲＡＭ１１８は、パーソナルコンピュータ１１０側から供給されたデータやＣＰＵ１１４による演算結果などを一時的に記憶する。
【００４０】
本実施の形態では、パーソナルコンピュータ１１０の本体部１３０に組み込まれたエディタソフトウェアが本体部１３０のＣＰＵ１３４、ＲＡＭ１３６、キーボード１４１やマウス１４２とともにフルカットライン設定手段およびハーフカットライン設定手段を構成している。また、本体部１３０のＣＰＵ１３４およびカッティングプリンタ１１のＣＰＵ１１４が制御手段を構成している。また、ディスプレイ１３２が表示手段を構成している。
【００４１】
次に、上述のように構成された本実施の形態に係るラベル製造装置１００を用いてラベルを製造する具体的な手順について、図７〜図３４をさらに参照して説明する。図７は、本実施の形態に係るラベル製造装置１００を用いてラベルを製造するための概略的な手順を示すフローチャートである。図８は、エディタのディスプレイ表示内容を説明するための図である。図９〜図３３は、エディタでのラベル編集時の表示画面を編集手順にしたがって順に示す図である。図３４は、本実施の形態により製造されたラベルの模式図である。
【００４２】
ラベル製造装置１００は、ユーザが、パーソナルコンピュータ１１０に組み込まれたエディタソフトウェアに命令を与えることで動作する。図８に示すように、エディタのディスプレイ１３２への表示画面で、描画画面１７１の上側には、「ファイル」、「編集」「倍率」、「文字」、「カット」、「オプション」および「ヘルプ」のメニューを有するメニューバー１７２が設けられている。また、描画画面１７１の左側には、選択アイコン１７３、直線アイコン１７４、楕円アイコン１７５、四角アイコン１７６、円弧アイコン１７７、自由線アイコン１７８、フルカット（１点）アイコン１７９、フルカット（２点）アイコン１８０、全幅ハーフカットアイコン１８１、および、文字アイコン１８２が設けられている。そして、描画画面１７１内には、編集位置を表すポインタカーソル１８３が示されている。
【００４３】
例えば、メニューバー１７２の「ファイル」メニューには、”新規作成”、”開く”、”閉じる”、”上書き保存”、”印刷”、”名前を付けて保存”、および、”終了”などの各項目がプルダウンメニューとして含まれていてよい。また、「編集」メニューには、”切取り”、”コピー”、および、”貼付け”の各項目がプルダウンメニューとして含まれていてよい。
【００４４】
最初に、図７のステップＳ１において、文字入力を行なう。このとき、図９に示すように、タックシート１３の１ページ分の所定長さに対応した長さのシート画像１８４が描画画面１７１に表示されるものとする。そして、文字アイコン１８２をポインタカーソル１８３でクリックして選択する。これにより、エディタは文字入力モードとなる。この状態で、キーボード１４１から「ＡＢＣＤＥＦＧ」という文字列を入力すると、図１０に示すように、シート画像１８４に「ＡＢＣＤＥＦＧ」という文字列が表示される。これに伴って、パーソナルコンピュータ１１０のＲＡＭ（記憶手段）１３６の所定領域には、「ＡＢＣＤＥＦＧ」の文字種を表すデータがそのフォントの大きさや、位置、色などのデータとともにバッファデータとして格納される。
【００４５】
次に、ステップＳ２において、文字を取り囲むハーフカットデータの入力を行なう。ここでは、「Ａ」、「Ｃ」、「Ｄ」、「Ｆ」の文字の周囲にハーフカットを施すこととする。まず、「Ａ」については、文字の周囲に楕円形のハーフカットを施すべく、図１１に示すように楕円アイコン１７５をポインタカーソル１８３でクリックして選択する。これによりエディタは楕円形描画モードになる。そして、図１２に示すように、ポインタカーソル１８３で「Ａ」の周囲を所定の方法でクリックする。これにより、シート画像１８４内の「Ａ」は楕円形または円形の細線１８５で囲まれるとともに、ＲＡＭ１３６の所定領域の「ＡＢＣＤＥＦＧ」の文字データの後に、「Ａ」を囲むハーフカットに関するデータ（ここでは、中心位置や半径などのデータのほか、設定されたラインに沿ってハーフカットが行われる旨のデータ）がバッファデータとして格納される。ここで、細線１８５は、このラインに沿ったハーフカットが後で行われることを示すラインであるとする。
【００４６】
そして、「Ｃ」については、文字の周囲に四角形のハーフカットを施すべく、図１３に示すように四角アイコン１７６をポインタカーソル１８３でクリックして選択する。これによりエディタは四角形描画モードになる。そして、図１４に示すように、ポインタカーソル１８３で「Ｃ」の周囲を所定の方法でクリックする。これにより、シート画像１８４内の「Ｃ」は四角形の細線１８５で囲まれるとともに、「Ａ」を囲むハーフカットデータの後に「Ｃ」を囲むハーフカットに関するデータ（ここでは、中心位置や縦横の長さなどのデータのほか、設定されたラインに沿ってハーフカットが行われる旨のデータ）がバッファデータとして格納される。
【００４７】
また、「Ｄ」については、文字の輪郭に沿った自由線で囲まれた図形のハーフカットを施すべく、図１５に示すように自由線アイコン１７８をポインタカーソル１８３でクリックして選択する。これによりエディタは自由線描画モードになる。そして、図１６および図１７に示すように、ポインタカーソル１８３で「Ｄ」のまわりをその輪郭に沿ってクリックした状態でなぞっていく。これにより、シート画像１８４内の「Ｄ」はその輪郭に沿った細線１８５で囲まれるとともに、「Ｃ」を囲むハーフカットデータの後に「Ｄ」を囲むハーフカットに関するデータ（ここでは、自由線を構成する各線分の端点の位置などのデータのほか、設定されたラインに沿ってハーフカットが行われる旨のデータ）がバッファデータとして格納される。
【００４８】
また、「Ｆ」についても、引き続いて文字の周りを自由線で囲むべく、自由線アイコン１７８をポインタカーソル１８３でクリックして選択した後、図１８に示すように、ポインタカーソル１８３で「Ｆ」のまわりをその輪郭に沿ってクリックした状態でなぞっていく。これにより、シート画像１８４内の「Ｆ」はその輪郭に沿った細線１８５で囲まれるとともに、「Ｄ」を囲むハーフカットデータの後に「Ｆ」を囲むハーフカットに関するデータ（「Ｄ」の場合と同様のデータ）がバッファデータとして格納される。
【００４９】
なお、本実施の形態において、連続して同じ動作を行なう場合（例えば、上述のように、自由線描画が２回続けられる場合）には、エディタが直前のモードに維持されるようになっていてもよい。このようにしてあれば、新たにアイコンをポインタカーソル１８３でクリックする必要はない。
【００５０】
また、上述の文字「Ｆ」のように、文字や図形の輪郭に沿った細線を描く際には、そのための専用のアイコンが選択できるようになっていてもよい。この場合には、文字の輪郭線ドットを上下左右およびそれぞれの中間方向の８方向に所定ドットづつ移動させてアンド演算（ａｎｄ）を行なうという簡単な処理で、文字や図形の輪郭に沿ってその外側にラインを描くことができる。
【００５１】
次に、ステップＳ３において、全幅ハーフカットを設定する。本実施の形態では、「Ｄ」と「Ｅ」の間、および、「Ｆ」と「Ｇ」の間に全幅ハーフカットを施す。そのために、図１９に示すように全幅ハーフカットアイコン１８１をポインタカーソル１８３でクリックして選択する。これによりエディタは全幅ハーフカット位置入力モードになる。そして、図２０に示すようにポインタカーソル１８３を「Ｄ」と「Ｅ」の間の任意の位置に移動させてマウスをクリックする。すると、図２１に示すように、「Ｄ」と「Ｅ」の間に下向き矢印（↓）のついた太線１８６がシート画像１８４の全幅にわたって、クリックにより選択した１点を通るシートの幅方向に描かれるとともに、「Ｄ」を囲むハーフカットデータの後に「Ｄ」と「Ｅ」の間でのハーフカットに関するデータ（ここでは、そのハーフカットラインの位置などのデータのほか、設定されたラインに沿ってハーフカットが行われる旨のデータ）がバッファデータとして格納される。ここで、下向き矢印（↓）のついた太線１８６は、後で全幅ハーフカットが行われることを示すラインであるとする。つまり、「Ｄ」と「Ｅ」の間の１点の指定によりシートがその位置で全幅にわたってハーフカットされるような設定が行われたことになる。
【００５２】
さらに、「Ｆ」と「Ｇ」の間に全幅ハーフカットを施すべく、全幅ハーフカットアイコン１８１をポインタカーソル１８３でクリックして全幅ハーフカット位置入力モードとした後、図２２に示すようにポインタカーソル１８３を「Ｆ」と「Ｇ」の間の任意の位置に移動させてマウスをクリックする。すると、図２３に示すように、「Ｆ」と「Ｇ」の間に下向き矢印（↓）のついた太線１８６がシート画像１８４の全幅にわたって、クリックにより選択した１点を通るシートの幅方向に描かれるとともに、「Ｄ」と「Ｅ」の間でのハーフカットデータの後に「Ｆ」と「Ｇ」の間でのハーフカットに関するデータ（ここでは、そのハーフカットラインの位置などのデータのほか、設定されたラインに沿ってハーフカットが行われる旨のデータ）がバッファデータとして格納される。
【００５３】
次に、ステップＳ４において、１点指定による全幅フルカットの設定を行なう。本実施の形態では、「Ａ」と「Ｂ」の間に１点指定による全幅フルカットを施す。そのために、図２４に示すようにフルカット（１点）アイコン１７９をポインタカーソル１８３でクリックして選択する。これによりエディタは１点指定による全幅フルカット位置入力モードになる。そして、図２５に示すようにポインタカーソル１８３を「Ａ」と「Ｂ」の間の任意の位置に移動させてマウスをクリックする。すると、図２６に示すように、「Ａ」と「Ｂ」の間に、黒丸印（●）が１つ付いた太線１８７がシート画像１８４の全幅にわたって、クリックにより選択した１点を通るシートの幅方向に描かれるとともに、「Ｆ」と「Ｇ」の間でのハーフカットデータの後に「Ａ」と「Ｂ」の間でのシートの全幅にわたるフルカットに関するデータ（ここでは、そのフルカットラインの位置などのデータのほか、設定されたラインに沿ってフルカットが行われる旨のデータ）がバッファデータとして格納される。ここで、黒丸印（●）が１つ付いた太線１８７は、後でシートの全幅にわたるフルカットが行われることを示すラインであるとする。つまり、「Ａ」と「Ｂ」の間の１点の指定によりシートがその位置で全幅にわたってフルカットされるような設定が行われたことになる。
【００５４】
次に、ステップＳ５において、２点指定による任意幅フルカットの設定を行なう。本実施の形態では、「Ｂ」と「Ｃ」の間に２点指定による任意幅フルカットを施す。そのために、図２７に示すようにフルカット（２点）アイコン１８０をポインタカーソル１８３でクリックして選択する。これによりエディタは２点指定による任意幅フルカット位置入力モードになる。そして、図２８に示すようにポインタカーソル１８３を「Ｂ」と「Ｃ」の間のシート上端から若干離れた位置に移動させてマウスをクリックし、マウスをクリックしたままでポインタカーソル１８３を下方に移動させる。このモードでは、ポインタカーソル１８３の左右の動きが禁止されており、ポインタカーソル１８３をシートの幅方向に動かすことしかできない。
【００５５】
すると、図２９に示すように、「Ｂ」と「Ｃ」の間に、上端に黒丸印（●）がついた太線１８８がマウスの移動に伴って描かれる。さらに、図３０に示すように、マウスをシート画像１８４の外まで移動させてからクリックを解除すると、図３１に示すように、下端にもう１つ別の黒丸印（●）がつけられて太線１８８が終端する。つまり、太線１８８には上端と下端に合計２つの黒丸印が付けられたことになる。この太線１８８の描画終了とともに、「Ａ」と「Ｂ」の間でのフルカットデータの後に「Ｂ」と「Ｃ」の間での２つの黒丸印間のフルカットに関するデータ（ここでは、そのフルカットラインの位置やフルカットする場所などのデータのほか、設定されたラインに沿ってフルカットが行われる旨のデータ）がバッファデータとして格納される。上端と下端に黒丸印（●）のついた太線１８８は、後で２つの黒丸印の間でフルカットが行われることを示すラインであるとする。つまり、「Ｂ」と「Ｃ」の間の２点の指定によりシートがその位置において指定された２点間でのみフルカットされるような設定が行われたことになる。
【００５６】
次に、ステップＳ６において、ステップＳ１〜Ｓ５で入力および設定されたデータに基づいてタックシート１３への印刷およびカットを行なう。そのために、まず、図３２に示すように、メニューバー１７２のファイルメニューをポインタカーソル１８３でクリックし、引き続いて、図３３に示すように、ファイルメニューから”印刷（Ｐ）”を選択して、印刷およびカットを行なう。
【００５７】
”印刷（Ｐ）”を選択されると、エディタは通信モードに移行して、ＲＡＭ１３６のバッファデータの内容がカッティングプリンタ１１内のＲＡＭ１１８に送信される。
【００５８】
そして、パーソナルコンピュータ１１０から印刷開始の指令を受けると、ソレノイド４１がオフ状態において、第１駆動モータ２１が正回転駆動され、プラテンローラ２４および排出ローラ２５がタックシート１３を正方向に搬送するように回転する。これによって、タックシート１３の先端が画像形成機構部１７、すなわち、サーマルヘッド４４とプラテンローラ２４との間に進入する。進入してきたタックシート１３には、サーマルヘッド４４の発熱素子の駆動によって、所定の画像が形成される。そして、所定の画像が形成されたタックシート１３は、次いで、カッティング機構部１６に搬送される。
【００５９】
カッティング機構部１６に搬送されたタックシート１３は、ＲＡＭ１１８に記憶されたバッファデータの内容にしたがって、設定された位置でフルカットおよびハーフカットされる。すなわち、ハーフカット時においては、図６で説明したようなフルカットとハーフカットの切換機構によりカッタ４３がハーフカット位置で支持された状態で、ハーフカットの開始位置においてソレノイド４１がオン状態とされ、これによって、カッタユニット３０がタックシート１３に当接する。そして、第１駆動モータ２１を正回転駆動および逆回転駆動させ、タックシート１３を正方向および逆方向に搬送することによって、粘着シート１８が搬送方向に沿ってカットされる。また、このような搬送方向に沿ったカットとともに、第２駆動モータ３５を正回転駆動および逆回転駆動させて、キャリッジ３１をタックシート１３の幅方向に往復移動させることによって、粘着シート１８がその幅方向に沿ってカットされる。従って、これら第１駆動モータ２１の正回転駆動および逆回転駆動と、第２駆動モータ３５の正回転駆動および逆回転駆動が同時に行われることによって、タックシート１３上の所定の画像が形成された部分が、矩形状あるいは楕円状などの任意の形状にハーフカットされる。
【００６０】
次に、フルカット時においては、図６で説明したようなフルカットとハーフカットの切換機構によりカッタ４３がフルカット位置で支持された状態でソレノイド４１がオン状態とされる。そして、第２駆動モータ３５が正回転駆動および逆回転駆動されて、キャリッジ３１がタックシート１３の幅方向に往復移動されることによって、タックシート１３がその幅方向に沿ってフルカットされる。
【００６１】
以上のような手順で製造されたのが図３４のシートである。図３４では、ハーフカットされたラインが破線で示されており、フルカットされたラインに沿ってシートは互いに分離されている。このように本実施の形態によると、シート上の任意のラインに沿ってフルカットおよびハーフカットを施すことが可能となるので、多様な位置にハーフカットが施された任意の大きさのシートを得ることができる。
【００６２】
また、本実施の形態では、全幅ハーフカット位置入力モード、全幅フルカット位置入力モードおよび任意幅フルカット位置入力モードといった幅方向カットモードにより、シートを任意の位置で幅方向にフルカットおよびハーフカットすることが可能である。そのため、１点または２点の指定によりフルカットおよびハーフカットを設定することができ、作業効率を向上させることができる。
【００６３】
特に、全幅フルカット位置入力モードおよび全幅ハーフカット位置入力モードは１点指定モードであり、１点の指定によりフルカットおよびハーフカットを設定することができるため、より作業効率を向上させることができる。また、任意幅フルカット位置入力モードは２点指定モードであり、２点間でシートがカットされるためにシートの端部にカットしない部分をユーザの設定により自由に残すことができるようになり、シートの全幅にわたって分離されておらず１部でつながっている状態にシートを加工することができる。このように大部分がフルカットされたシートは、必要なときに簡単にラベルとして分離させることのできるとともに、シートが完全にばらばらになった状態よりも取り扱いが容易であるという利点がある。また、この際、１点目が指定されると、２点目の指定は１点目を通るシートの幅方向の直線上にある別の１点に規制されるので、２点目の指定を容易に行うことができる。なお、ハーフカットの場合にも、フルカットと同様に、全幅ハーフカット位置入力モードおよび任意幅ハーフカット位置入力モードを設けてもよい。
【００６４】
また、本実施の形態では、フルカットラインおよびハーフカットラインが線種（太線または細線）およびそこに付けられた模様（黒丸印や矢印およびその個数）で互いに区別可能に表示されるので、ユーザはどこに全幅フルカット、任意幅フルカットおよびハーフカットを設定したかを一目で知ることが可能となる。また、線種や模様のほかに、色をも組み合わせてラインを互いに区別可能に表示するようにしてよい。
【００６５】
以上、本発明の好適な実施の形態について説明したが、本発明は上記実施の形態に限られるものではなく、様々な設計変更が可能である。例えば、上述の実施の形態では、ラベル製造装置１００がカッティングプリンタ１１とパーソナルコンピュータ１１０とから構成されていたが、パーソナルコンピュータ１１０の有する機能をカッティングプリンタ１１側にすべて持たせるようにして、カッティングプリンタ１１だけからラベル製造装置１００を構成するようにしてもよい。また、上述の実施の形態では、フルカット手段とハーフカット手段を１つのカッタで構成したが、これらを別々のカッタで構成するようにしてもよい。また、ステップＳ２からステップＳ５までの順番は任意に入れ替えることが可能である。
【００６６】
また、上述の実施の形態では、エディタを用いてシートへの文字入力およびカット設定を行なう際、文字データ「ＡＢＣＤＥＦＧ」の後に、ハーフカットおよびフルカットの各データが記憶手段としてのＲＡＭ１３６に記憶されるようにしたが、データの配列順序などは適宜変更することが可能である。また、上述の実施の形態では、文字を囲むようなハーフカットを行ったが、文字を囲むようなフルカットを行ってもよい。
【００６７】
【発明の効果】
以上説明したように、請求項１、４、７によると、シート上の任意のラインに沿ってフルカットおよびハーフカットを施すことが可能となるので、多様な位置にハーフカットが施された任意の大きさのシートを得ることができる。
【００６８】
さらに、幅方向カットモードによりシートを任意の位置で幅方向にフルカットおよびハーフカットすることが可能であるので、少なくとも１点の指定によりフルカットおよびハーフカットを設定することができ、作業効率を向上させることができる。
【００６９】
請求項２、５、８によると、１点指定モードでは、１点の指定によりフルカットおよびハーフカットを設定することができるため、作業効率を向上させることができる。また、２点指定モードでは、２点間でシートがフルカットされるためにシートの端部にカットしない部分をユーザの設定により自由に残すことができるようになり、シートの全幅にわたって分離されていないものの簡単に分離させることができる状態にシートを加工することができる。
【００７０】
請求項３、６、９によると、フルカットラインおよびハーフカットラインが色、線種および模様の少なくともいずれか１つによって互いに区別可能に表示されるので、ユーザはどこにフルカットおよびハーフカットを設定したかを一目で知ることが可能となる。
【図面の簡単な説明】
【図１】本発明の一実施の形態に係るラベル製造装置のブロック図である。
【図２】図１に示すカッティングプリンタの要部構成を示す平面図である。
【図３】図１に示すカッティングプリンタの要部断面図である。
【図４】図１に示すカッティングプリンタのカッティング機構部を示す要部側断面図である。
【図５】図１に示すカッティングプリンタにおいて、ロールシートユニットとカッティング機構部および画像形成機構部との概略的な位置関係を示す模式的な斜視図である。
【図６】図１に示すカッティングプリンタにおいて、カッティング機構部のカッタユニットの断面図である。
【図７】本発明の一実施の形態において、ラベルを製造するための概略的な手順を示すフローチャートである。
【図８】本発明の一実施の形態において、エディタのディスプレイ表示内容を説明するための図である。
【図９】本発明の一実施の形態において、エディタでのラベル編集時の表示画面を編集手順にしたがって順に示す図である。
【図１０】本発明の一実施の形態において、エディタでのラベル編集時の表示画面を編集手順にしたがって順に示す図である。
【図１１】本発明の一実施の形態において、エディタでのラベル編集時の表示画面を編集手順にしたがって順に示す図である。
【図１２】本発明の一実施の形態において、エディタでのラベル編集時の表示画面を編集手順にしたがって順に示す図である。
【図１３】本発明の一実施の形態において、エディタでのラベル編集時の表示画面を編集手順にしたがって順に示す図である。
【図１４】本発明の一実施の形態において、エディタでのラベル編集時の表示画面を編集手順にしたがって順に示す図である。
【図１５】本発明の一実施の形態において、エディタでのラベル編集時の表示画面を編集手順にしたがって順に示す図である。
【図１６】本発明の一実施の形態において、エディタでのラベル編集時の表示画面を編集手順にしたがって順に示す図である。
【図１７】本発明の一実施の形態において、エディタでのラベル編集時の表示画面を編集手順にしたがって順に示す図である。
【図１８】本発明の一実施の形態において、エディタでのラベル編集時の表示画面を編集手順にしたがって順に示す図である。
【図１９】本発明の一実施の形態において、エディタでのラベル編集時の表示画面を編集手順にしたがって順に示す図である。
【図２０】本発明の一実施の形態において、エディタでのラベル編集時の表示画面を編集手順にしたがって順に示す図である。
【図２１】本発明の一実施の形態において、エディタでのラベル編集時の表示画面を編集手順にしたがって順に示す図である。
【図２２】本発明の一実施の形態において、エディタでのラベル編集時の表示画面を編集手順にしたがって順に示す図である。
【図２３】本発明の一実施の形態において、エディタでのラベル編集時の表示画面を編集手順にしたがって順に示す図である。
【図２４】本発明の一実施の形態において、エディタでのラベル編集時の表示画面を編集手順にしたがって順に示す図である。
【図２５】本発明の一実施の形態において、エディタでのラベル編集時の表示画面を編集手順にしたがって順に示す図である。
【図２６】本発明の一実施の形態において、エディタでのラベル編集時の表示画面を編集手順にしたがって順に示す図である。
【図２７】本発明の一実施の形態において、エディタでのラベル編集時の表示画面を編集手順にしたがって順に示す図である。
【図２８】本発明の一実施の形態において、エディタでのラベル編集時の表示画面を編集手順にしたがって順に示す図である。
【図２９】本発明の一実施の形態において、エディタでのラベル編集時の表示画面を編集手順にしたがって順に示す図である。
【図３０】本発明の一実施の形態において、エディタでのラベル編集時の表示画面を編集手順にしたがって順に示す図である。
【図３１】本発明の一実施の形態において、エディタでのラベル編集時の表示画面を編集手順にしたがって順に示す図である。
【図３２】本発明の一実施の形態において、エディタでのラベル編集時の表示画面を編集手順にしたがって順に示す図である。
【図３３】本発明の一実施の形態において、エディタでのラベル編集時の表示画面を編集手順にしたがって順に示す図である。
【図３４】本発明の一実施の形態により製造されたラベルの模式図である。
【符号の説明】
１１ カッティングプリンタ（シート加工装置）
４３ カッタ
１００ ラベル製造装置
１１０ パーソナルコンピュータ
１３０ 本体部
１３２ ディスプレイ
１４１ キーボード
１４２ マウス
【図１】
0004734681.tif 000002
【図２】
0004734681.tif 000003
【図３】
0004734681.tif 000004
【図４】
0004734681.tif 000005
【図５】
0004734681.tif 000006
【図６】
0004734681.tif 000007
【図７】
0004734681.tif 000008
【図８】
0004734681.tif 000009
【図９】
0004734681.tif 000010
【図１０】
0004734681.tif 000011
【図１１】
0004734681.tif 000012
【図１２】
0004734681.tif 000013
【図１３】
0004734681.tif 000014
【図１４】
0004734681.tif 000015
【図１５】
0004734681.tif 000016
【図１６】
0004734681.tif 000017
【図１７】
0004734681.tif 000018
【図１８】
0004734681.tif 000019
【図１９】
0004734681.tif 000020
【図２０】
0004734681.tif 000021
【図２１】
0004734681.tif 000022
【図２２】
0004734681.tif 000023
【図２３】
0004734681.tif 000024
【図２４】
0004734681.tif 000025
【図２５】
0004734681.tif 000026
【図２６】
0004734681.tif 000027
【図２７】
0004734681.tif 000028
【図２８】
0004734681.tif 000029
【図２９】
0004734681.tif 000030
【図３０】
0004734681.tif 000031
【図３１】
0004734681.tif 000032
【図３２】
0004734681.tif 000033
【図３３】
0004734681.tif 000034
【図３４】
0004734681.tif 000035